(57)【要約】      （修正有）【課題】心電波形、体脂肪率測定の両方の測定が可能で外部に伝達するための携帯電話を提供する。【解決手段】心電波形、体脂肪率測定を携帯電話を組み込んだ装置に組み込んで、ディスプレイ上で所定部をタッチすると心電波形測定と体水分率測定を同時に測定し、心電波形が不整脈、頻脈等の望ましくない状態のとき、体脂肪率を見て脱水症状で心電波形がそのよう状態かをみる。【選択図】図１
2017047026.tif 000002
【特許請求の範囲】
【請求項１】
ケースと、前記ケース内に配置された再充電可能電池と、前記ケースに挿入され、外部から接触して表示されて機能するタッチパネルを有した携帯電話端末と、前記ケースの表面に設けられた、心電波形及び体脂肪率を同時に測定する事を可能にするための、それぞれの測定信号を弁別するためのフイルター回路に接続された電極を、被験者が接触することにより、前記被験者の心電波形及び体脂肪率を測定し、心電波形または体脂肪率情報として処理する処理手段と、前記処理手段により処理された心電波形または体脂肪情報を記憶するメモリと、前記記憶された心電波形または体脂肪率情報を、前記携帯電話端末に送信することにより、前記タッチパネルによって指示された表示に従って表示するよう制御する手段と、前記心電波形及び体脂肪率情報を、前記携帯電話端末を介して外部に配された監視センタに通知する手段を備えた心電波形及び体脂肪率測定システム。
【請求項２】
前記ケース内に、前記携帯電話端末を挿入するガイドが設けられている請求項１に記載の心電波形及び体脂肪率測定システム。
【請求項３】
前記ケース内に、前記携帯電話端末が挿入完了を通知する光電センサ―を備えた請求項１に記載の心電波形及び体脂肪率測定システム。
【請求項４】
前記再充電可能電池の充電レベルを通知する請求項１に記載の心電波形及び体脂肪率測定システム。
【発明の詳細な説明】
【技術分野】
【０００１】
本発明は、被験者の心電波形及び体脂肪率に関し、測定結果を携帯電話ディスプレイ等表示する心臓波形及び体脂肪率測定システムに関する。
【背景技術】
【０００２】
従来、特許文献１に示すように長期間連続的に心臓を監視し、監視した心電波形を分析しリアルタイムに外部に通信するものがあった。また、健康管理装置として特許文献２に示すように、心電波形と体脂肪を測定する装置が知られている。
【先行技術文献】
【特許文献】
【０００３】
【特許文献１】特許５６８４３６５６号公報
【特許文献２】特開２００６−１８７４５０号公報
【発明の概要】
【発明が解決しようとする課題】
【０００４】
以上に述べた特許文献１では心臓を監視するものとして心電波形が望ましくない波形であっても何が原因で望ましくないのか不明である。特許文献２では心電波形と体脂肪を監視する装置が組み込まれているが、その結果を外部に通信し、さらに情報を得る装置は何も有していない。また携帯電話が有しているような指で触ってスイッチが切り替わるタッチセンサーを持つ画面表示方式ではないので使い勝手が良くない。さらに心電測定時と体脂肪測定時には電極の回路接続を切り替える必要があり、心電と体脂肪を同時に測定する事は出来なかった。
【０００５】
本発明は、このような従来の構成が有していた問題を解決しようとするものであり、携帯電話端末の画面上のタッチセンサーを触って心電波形と体脂肪率の測定や表示切り替えを行い、また測定時間短縮のため心電と体脂肪を同時に測定し、心電波形と体脂肪率の測定結果を視認可能とした心電波形及び体脂肪率測定システムを提供することを目的とするものである。
【課題を解決するための手段】
【０００６】
本発明の請求項１は、ケースと、前記ケース内に配置された再充電可能電池と、前記ケースに挿入され、外部から接触して表示されて機能するタッチパネルを有した携帯電話端末と、前記ケースの表面に設けられた、心電波形及び体脂肪率を同時に測定することを可能にするための、それぞれの測定信号を弁別するためのフイルター回路に接続された電極を、被験者が接触することにより、前記被験者の心電波形及び体脂肪率を測定し、心電波形または体脂肪率情報として処理する処理手段と、前記処理手段により処理された心電波形または体脂肪情報を記憶するメモリと、前記記憶された心電波形または体脂肪率情報を前記携帯電話端末に送信することにより、前記タッチパネルによって指示された表示に従って表示するよう制御する手段と、前記心電波形及び体脂肪率情報を、前記携帯電話端末を介して外部に配された監視センタに通知する手段を備えた心電波形及び体脂肪率測定システムを提供するものである。
【０００７】
請求項２は、前記ケース内に、前記携帯電話端末を挿入するガイドが設けられている請求項１に記載の心電波形及び体脂肪率測定システムを提供するものである。
【０００８】
請求項３は、前記ケース内に、前記携帯電話端末が挿入完了を通知する光電センサ―を備えた請求項１に記載の心電波形及び体脂肪率測定システムを提供するものである。
【０００９】
請求項４は、前記再充電可能電池の充電レベルを通知する請求項１に記載の心電波形及び体脂肪率測定システムを提供するものである。
【発明の効果】
【００１０】
上述したように、本発明の心電波形及び体脂肪率測定システムは、同時に心電と体脂肪を同時に測定することができるので、心電または体脂肪の一方を測定して、他方測定忘れをすることがない。
【図面の簡単な説明】
【００１１】
【図１】本発明のケースとケース内に配置された携帯電話端末を上から見た図
【図２】本発明のケースとケース内に配置された携帯電話端末の電極を示す図
【図３】本発明の携帯電話端末を示す図
【図４】本発明のケースとケース内に配置された携帯電話端末の電極に接触する手のひらとの関係を示す図
【図５】本発明の携帯電話端末の充電端子及び音声通話端子を示す図
【図６】本発明のケースと携帯電話端末との関係を示す図
【発明を実施するための形態】
【００１２】
以下、本発明の心電波形及び体脂肪率測定システムで、図１は心電波形及び体脂肪率測定システムを上方向からみた上面図を示す。１はケースを示し、２はケース１に収容された携帯電話端末を示し、３，４，５，６はそれぞれ電極を示し、電極３と電極４の間に、電極５と電極６の間に、電極４と電極５の間に、電極３と電極６の間にそれぞれが接触しないように不図示の絶縁部を設ける。
【００１３】
図２は、ケース１の斜視図を示し、各電極３，４、５，６が示されている。ケースの空隙部に携帯電話端末２が収容される構造になっている。電極３、４、５、６は後述の図４で示すＣＰＵと接続してこれらの電極３，４，５，６と接触する被験者の心電波形および体脂肪率を出力し、波形及び数値を出力する。
【００１４】
図３は、ケースに収容される携帯電話端末を示す図である。
【００１５】
携帯電話端末２は現在市販されている商品と同じようにタッチパネル式で入力できる構造を持っている。Ｓは測定スタートスイッチを示す。
【００１６】
図４は、本発明のケースとケース内に配置された携帯電話端末の電極に接触する掌との関係を示す図を示す。
【００１７】
両掌先端側に接触する電極の一端ＥＲ１は定電流交流発生装置に接続され、他端ＥＲ２はグランドに接続されている。両掌内側の電極ＥＲ３、ＥＲ４は体脂肪率測定回路のＡｍｐ１と心電測定のためのＦｉｌｔｅｒ１にパラレルに接続されている。またＥＲ２は心電測定回路のグランドにも接続されている。
【００１８】
いま、一般的に体脂肪率測定に用いられている５０ｋ〜２５０ｋＨｚの定電圧電流を掌先端部ＥＲ１、ＥＲ２の両極に印加したとき、掌内側ＥＲ３、ＥＲ４の両極には印加電流により生じた電位と心電電位の両方の信号が生じる。
【００１９】
この時の生体インピーダンスに対応した印加電流による電位は心電電位に比べ相当に大きい場合もあるのでそのまま心電アンプ２に入力すれば、その出力が飽和し心電が検出できなくなる恐れがあるので、心電アンプ２の前段にローパスフイルター機能を持つＦｉｌｔｅｒ１を設置することにより、高い周波数成分をカットし印加電流の影響を排除し、心電成分のみを心電アンプ２に入力することが出来る。印加電流の影響を排除した心電信号はその後バンドパスフイルター機能を有するＦｉｌｔｅｒ３により目的とする信号成分のみを選択的に検出する。
【００２０】
体脂肪率測定部では、検出した高周波成分から、体動や呼吸、心電による影響を除外するためハイパスフイルター機能を有するＦｉｌｔｅｒ３を用いることにより、低域での変動分を除去することができる。画面内のスタートスイッチＳに接触すると、心電と体脂肪率を同時に測定する事が可能となる。
【００２１】
心電波形以外に体脂肪率を測定することにより、体脂肪率が高い場合は被験者が肥満体であるので不整脈がでるとか、また逆に被験者が脱水症状であるので脈が異常であるなど、医師の診察の助けとなる情報を出力する。
【００２２】
図５はケース１に収容する携帯電話端末２を示す。
【００２３】
携帯電話端末２の２Ａで示す充電端子と接続し、外部に設けられた２Ｂで示す充電コード端子と接続して携帯電話端末２を不図示の外部電源により充電を行う。
【００２４】
２Ｃは音声通話端子を示し、外部に音声通話端子２Ｃを介して音声が出力される。
【００２５】
図６は、携帯電話端末２の内部構造を示し、ケース１の下部にある。
【００２６】
携帯電話端末２を図７の１０で示す底面に置いて左方向から１１で示す携帯電話端末挿入ガイドの内側１１Ａに沿って挿入する。１２は携帯電話端末２の挿入完了を検知する光電センサである。１３は携帯電話端末２の突き当て面を示し、携帯電話端末２が挿入完了すると光電センサ１２が本システムの全体をつかさどるＣＰＵにその旨を通知する。
【００２７】
１４は、携帯電話端末２の充電端子２Ｂと接続する充電端子で、本システムにより充電が可能となる。
【００２８】
１５は、携帯電話端末２の音声通話端子２Ｃと接続する通話端子で、心電波形、体脂肪率情報を外部に伝達し、緊急時に有効となる。
【符号の説明】
【００２９】
１・・・・・ケース
２・・・・・携帯電話端末
３〜６・・・電極
１０・・・・底面
１１・・・・携帯電話端末挿入ガイド
１２・・・・光電センサ
１３・・・・携帯電話突き当て面
１４・・・・充電端子
１５・・・・音声通話端子
【図１】
2017047026.tif 000003
【図２】
2017047026.tif 000004
【図３】
2017047026.tif 000005
【図４】
2017047026.tif 000006
【図５】
2017047026.tif 000007
【図６】
2017047026.tif 000008